(57)【要約】【課題】原稿を内側に保持する矩形のフィルムマウント６２をイメージセンサに対して正確に位置決めする原稿ホルダを提供する。【解決手段】フィルムマウント６２を第一当接部３４に向けて付勢する第一付勢手段３０と、フィルムマウント６２を第二当接部２０に向けて付勢する第二付勢手段４４と、原稿窓２２の周囲に形成されフィルムマウント６２の第一の枠状平面に当接する縁部３２と、フィルムマウント６２の第一の枠状平面の裏面に当接し、フィルムマウント６２を縁部３２に向けて付勢する第三付勢手段１８、３６と、を備えることを特徴とする。【選択図】  図１
2005003774.tif 000002
【特許請求の範囲】
【請求項１】
原稿を内側に保持する矩形の枠部材を支持する原稿ホルダであって、
前記枠部材の外周囲の第一の端面に当接する第一当接部と、
前記第一の端面に直交する前記枠部材の外周囲の第二の端面に当接する第二当接部と、
前記第一の端面に対向する前記枠部材の外周囲の第三の端面に当接し、前記枠部材を前記第一当接部に向けて付勢する第一付勢手段と、
前記第二の端面に対向する前記枠部材の外周囲の第四の端面に当接し、前記枠部材を前記第二当接部に向けて付勢する第二付勢手段と、
前記第一当接部、前記第二当接部、前記第一付勢手段及び前記第二付勢手段に拘束された前記枠部材に保持された原稿を画像読み取り装置で読み取るための原稿窓と、
前記原稿窓の周囲に形成され前記枠部材の第一の枠状平面に当接する縁部と、
前記枠部材の前記第一の枠状平面の裏面に当接し、前記枠部材を前記縁部に向けて付勢する第三付勢手段と、
を備えることを特徴とする原稿ホルダ。
【請求項２】
前記第三付勢手段は、先端が前記第一当接部に向かって延びている片持ち梁形状であることを特徴とする請求項１に記載の原稿ホルダ。
【請求項３】
前記第一当接部、前記第二当接部、前記第一付勢手段、前記第二付勢手段、前記縁部及び前記第三付勢手段と前記枠部材との摩擦係数は、０．２５未満であることを特徴とする請求項１又は２に記載の原稿ホルダ。
【発明の詳細な説明】
【０００１】
【発明の属する技術分野】
本発明は、画像読み取り装置の原稿を支持する原稿ホルダに関する。
【０００２】
【従来の技術】
従来、矩形枠状のフィルムマウント等に保持された３５ｍｍ写真フィルム等の透過原稿をイメージスキャナ等の画像読み取り装置で読み取るための原稿ホルダが知られている（例えば特許文献１参照）。
特許文献１に開示された板状の原稿ホルダには、フィルムマウントが納まる凹部が形成され、フィルムマウントを位置決めするためのばねが各凹部について２つずつ設けられている。各凹部に設けられた２つのばねは、フィルムマウントを互いに直交する方向にそれぞれ付勢し、凹部の互いに直交する２つの側面にフィルムマウントの端面を押し当てることによって、フィルムマウントを原稿ホルダに位置決めしている。
【０００３】
【特許文献１】
特開平９−４３７４５号公報
【０００４】
【発明が解決しようとする課題】
しかし、特許文献１に開示された原稿ホルダでは、原稿ホルダからフィルムマウントが浮き上がることを防止することができない。原稿ホルダからフィルムマウントが浮き上がると、画像読み取り装置の結像レンズの焦点がイメージセンサの受光部からずれた状態で透過原稿が読み取られ、その結果、読み取った画像が不鮮明になるという問題がある。
本発明は、この問題を解決するために創作されたものであって、原稿を内側に保持する矩形の枠部材をイメージセンサに対して正確に位置決めする原稿ホルダを提供することを目的とする。
【０００５】
【課題を解決するための手段】
上記目的を達成するため、本発明に係る原稿ホルダは、原稿を内側に保持する矩形の枠部材を支持する原稿ホルダであって、前記枠部材の外周囲の第一の端面に当接する第一当接部と、前記第一の端面に直交する前記枠部材の外周囲の第二の端面に当接する第二当接部と、前記第一の端面に対向する前記枠部材の外周囲の第三の端面に当接し、前記枠部材を前記第一当接部に向けて付勢する第一付勢手段と、前記第二の端面に対向する前記枠部材の外周囲の第四の端面に当接し、前記枠部材を前記第二当接部に向けて付勢する第二付勢手段と、前記第一当接部、前記第二当接部、前記第一付勢手段及び前記第二付勢手段に拘束された前記枠部材に保持された原稿を画像読み取り装置で読み取るための原稿窓と、前記原稿窓の周囲に形成され前記枠部材の第一の枠状平面に当接する縁部と、前記枠部材の前記第一の枠状平面の裏面に当接し、前記枠部材を前記縁部に向けて付勢する第三付勢手段と、を備えることを特徴とする。原稿窓の周囲に形成され枠部材の第一の枠状平面に当接する縁部に向けて枠部材を付勢することにより、枠部材が縁部から浮き上がることを防止できる。したがって、枠部材の第一の枠状平面の裏面に当接し、枠部材を縁部に向けて付勢する第三付勢手段を備えることにより、原稿を内側に保持する矩形の枠部材をイメージセンサに対して正確に位置決めすることができる。
【０００６】
さらに本発明に係る原稿ホルダでは、前記第三付勢手段は、先端が前記第一当接部に向かって延びている片持ち梁形状であることを特徴とする。先端が第一当接部に向かって延びる第三付勢手段と縁部との間に第一当接部から第一付勢手段に向かって枠部材を挿入し、枠部材で第一付勢手段を押し込みながら第一当接部に枠部材を当接させると、容易に第一当接部と第一付勢手段の間に枠部材を拘束することができる。
【０００７】
さらに本発明に係る原稿ホルダでは、前記第一当接部、前記第二当接部、前記第一付勢手段、前記第二付勢手段、前記縁部及び前記第三付勢手段と前記枠部材との摩擦係数は、０．２５未満であることを特徴とする。３つの付勢手段がそれぞれの付勢力のみによって枠部材を第一当接部、第二当接部及び縁部に押し付けるためには、次式（１）〜（３）の全てを満たす必要がある。尚、次式（１）〜（３）において、Ａ、Ｂ、Ｃはそれぞれ第一付勢手段、第二付勢手段、第三付勢手段の付勢力である。
２Ａμ＋２Ｂμ＜Ｃ・・・式（１）
２Ｂμ＋２Ｃμ＜Ａ・・・式（２）
２Ａμ＋２Ｃμ＜Ｂ・・・式（３）
μ＜０．２５のとき、Ａ、Ｂ、Ｃの値に関わらず上式（１）〜（３）は満たされる。したがって、μ＜０．２５のとき、３つの付勢手段の付勢力のみによって枠部材をイメージセンサに対して正確に位置決めすることができる。
【０００８】
【発明の実施の形態】
以下、実施例に基づいて本発明の実施の形態を説明する。
図２は、本発明の実施例による原稿ホルダ１０を示す平面図である。図３は、図２のＡ−Ａ線部分断面図である。図４は図２のＢ−Ｂ線部分断面図である。原稿ホルダ１０は、後述する画像読み取り装置８０のリニアイメージセンサ７８に対して３５ｍｍフィルムのフィルムマウントを位置決めするために用いられ、８個のフィルムマウントを支持することができる。原稿ホルダ１０は板状であって、例えば射出成形によって成形する。原稿ホルダ１０の材質としては、フィルムマウントに対する摩擦係数が０．４未満のプラスチックが望ましい。特にフィルムマウントに対する原稿ホルダ１０の摩擦係数は０．２５未満であることが望ましく、そのためフィルムマウントとの当接部位の表面に例えばシリコン被膜を形成するとよい。
【０００９】
フィルムマウントが原稿ホルダ１０に支持されると、フィルムマウントに固定されたフィルムは、原稿窓１２、１４，２２，４６，５６，５２，５０，４８と重なる位置に位置決めされ、原稿窓１２、１４，２２，４６，５６，５２，５０，４８を通じてリニアイメージセンサ７８に読み取られる。フィルムが原稿窓と重なるようにフィルムマウントを支持する構造は各原稿窓で共通である。以下の説明では、原稿窓２２にフィルムが重なるようにフィルムマウントを支持する構造について説明する。
【００１０】
原稿窓２２は、フィルムマウントの内縁とほぼ同一寸法の長方形の開口である。尚、原稿窓２２の形状は、矩形に限らず、原稿の読み取り対象領域が納まる形状であればいかなる形状であってもよい。
【００１１】
縁部３２は、原稿窓２２の周囲に形成され、原稿ホルダ１０の上面５１より一段低く形成されている。このため、縁部３２の周囲にはフィルムマウントを位置決めするための段差面が形成されている。尚、縁部３２の形状は図２に示す形状に限らず、画像読み取り装置の光学系に対し、その光軸方向にフィルムマウントを位置決めすることができる形状であればよい。したがって、少なくとも３点でフィルムマウントの矩形枠状平面に当接する形状であればよい。
【００１２】
第一当接部３４は、フィルムマウントの外周の短辺側の端面の複数部位に当接する段差面である。第一当接部３４の形状は図２に示す形状に限らず、フィルムマウントをその外周の短辺が原稿ホルダ１０の長手方向軸線に平行になる姿勢に支持できる形状であればよい。したがって、少なくとも２点でフィルムマウントの外周の短辺側の端面に当接する形状であればよい。
【００１３】
第二当接部１６，２０は、第一当接部３４が当接する端面に直交するフィルムマウントの外周の長辺側の端面の複数部位に当接する。第二当接部１６，２０の形状は図２に示す形状に限らず、フィルムマウントをその外周の長辺が原稿ホルダ１０の短手方向軸線に平行になる姿勢に支持できる形状であればよい。したがって、少なくとも２点でフィルムマウントの外周の長辺側の端面に当接する形状であればよい。
【００１４】
第一付勢手段３０は、原稿窓２２を間に挟んで第一当接部３４の反対側に設けられている。第一付勢手段３０は、第一ばね部２６と第一ばね部２６の先端に設けられた第一押さえ部２８とを有し、原稿ホルダ１０の長手方向に延び、基端が固定端で先端が自由端の片持ち梁形状である。第一押さえ部２８から第一当接部３４までの距離Ｌ１（図３参照）は、フィルムマウントの外周の長辺より短い。したがって、フィルムマウントは第一押さえ部２８と第一当接部３４の間に第一ばね部２６の弾性力によって狭持される。
【００１５】
第二付勢手段４４は、原稿窓２２を間に挟んで第二当接部１６、２０の反対側に設けられている。第二付勢手段４４は、第二ばね部４２と第二ばね部４２の先端に設けられた第二押さえ部４０とを有し、原稿ホルダ１０の短手方向に延び、基端が固定端で先端が自由端の片持ち梁形状である。第二押さえ部４０は、先端に近いほど第二当接部２０，１６から離れる導入斜面３８を有する。導入斜面３８の先端から第二当接部２０，１６を結ぶ直線までの距離は、フィルムマウントの外周の短辺より長い。したがって、第一付勢手段３０に向かって縁部３２と後述の第三付勢手段１８，３６との間にフィルムマウントを挿入するとき、フィルムマウントの先端が第二付勢手段４４に突き当たることがない。導入斜面３８の基端から第二当接部２０，１６までの距離Ｌ２（図４参照）は、フィルムマウントの外周の短辺より短い。したがって、フィルムマウントは第二押さえ部４０と第二当接部２０，１６の間に第二ばね部４２の弾性力によって狭持される。
【００１６】
第三付勢手段１８，３６は、第一ばね部２６の両側に１つずつ設けられている。第三付勢手段１８，３６は、第二付勢手段４４と平行に原稿ホルダ１０の短手方向に第一当接部に向かって延び、基端が固定端で先端が自由端の片持ち梁形状である。第三付勢手段１８，３６は、基端から中央に向かって縁部３２の上面に接近するように傾斜し、先端は縁部３２の上面から離れる方向に反っている。第三付勢手段１８，３６の先端をこのように反らせることにより、第三付勢手段１８，３６と縁部３２との間にフィルムマウントを挿入することが容易になる。
【００１７】
以上原稿ホルダ１０の構成について説明した。次に原稿ホルダ１０の使用方法について説明する。図１は、原稿ホルダ１０の使用方法を示す模式図である。
はじめに、フィルム６０が内側に固定されたフィルムマウント６２を、図１（Ａ１）、（Ｂ１）に示すように、第一付勢手段３０に当接するまで、第一当接部３４から第一付勢手段３０に向かって第三付勢手段１８，３６と縁部３２との間に挿入する。
【００１８】
次に、縁部３２から浮き上がっているフィルムマウント６２の端部を第一付勢手段３０に向かって押し、図１（Ａ２）、（Ｂ２）に示すように、その端部を縁部３２に落とし込む。
【００１９】
フィルムマウント６２が第一付勢手段３０の付勢力によって第一当接部３４に押し当てられ、第二付勢手段４４の付勢力によって第二当接部２０，１６に押し当てられ、第三付勢手段１８，３６の付勢力によって縁部３２に押し当てられる必要条件は次式（４）〜（６）の通りである。
ＦＡ＞２μＦＣ＋２μＦＢ・・・式（４）
ＦＢ＞２μＦＣ＋２μＦＡ・・・式（５）
ＦＣ＞２μＦＡ＋２μＦＢ・・・式（６）
ＦＡ：第一付勢手段３０の付勢力
ＦＢ：第二付勢手段４４の付勢力
ＦＣ：第三付勢手段１８，３６の付勢力
μ  ：原稿ホルダ１０とフィルムマウント６２との摩擦係数
【００２０】
μ＜０．２５のとき、ＦＡ、ＦＢ、ＦＣの値に関わらず上式（１）〜（３）は満たされる。したがって、μ＜０．２５のとき、３つの付勢手段の付勢力のみによってフィルムマウント６２を原稿ホルダ１０に対して正確に位置決めすることができる。μ≧０．２５の場合、図１（Ａ１）に示す状態からフィルムマウント６２の端部を縁部３２に落とし込むには、指先で縁部３２に向かってフィルムマウント６２を押し下げる必要がある。μ≧０．２５であっても、フィルムマウント６２の矩形枠平面を縁部３２に一旦押し当てさえすれば、その後は第三付勢手段１８，３６の付勢力によってその状態が維持される。したがって、μ≧０．２５であってもフィルムマウント６２を原稿ホルダ１０に対して正確に位置決めすることができる。またユーザは、一本の指で容易に、フィルムマウント６２の先端で第一付勢手段３０を押し込みながらフィルムマウント６２の後端を押し下げることができる。尚、第一当接部から第一付勢手段に向かって第三付勢手段の先端が延びている場合、フィルムマウントを第三付勢手段と縁部の間に挿入するとき、第一付勢手段を挿入方向と反対側に押し付けながらフィルムマウントを縁部に落とし込む必要がある。
【００２１】
図５は原稿ホルダ１０に位置決めされたフィルムマウント６２に固定されたフィルム６０を読み取るための画像読み取り装置８０を示す模式図である。
原稿ホルダ１０は、光源７２からリニアイメージセンサ７８に至る光路上の所定の位置に、複数のローラ７０によって狭持される。原稿ホルダ１０が光源７２からリニアイメージセンサ７８に至る光路上で位置決めされると、原稿ホルダ１０に位置決めされたフィルムマウント６２に固定されたフィルム６０も、光源７２からリニアイメージセンサ７８に至る光路上で位置決めされる。
【００２２】
光源７２から照射された光は、フィルムマウント６２に固定されたフィルム６０を透過し、ミラー７４及び結像レンズ７６を介してリニアイメージセンサ７８に入射する。リニアイメージセンサ７８では受光した光が光電変換される。図示しないモータによって複数のローラ７０を回転させて原稿ホルダ１０を直線運動させると、フィルム６０の透過光像を２次元の画像データに変換することができる。
【図面の簡単な説明】
【図１】本発明の実施例に係る模式図である。
【図２】本発明の実施例に係る平面図である。
【図３】本発明の実施例に係る部分断面図である。
【図４】本発明の実施例に係る部分断面図である。
【図５】本発明の実施例に係る模式図である。
【符号の説明】
１０  原稿ホルダ、１２  原稿窓、１６，２０  第二当接部、１８，３６  第三付勢手段、３０  第一付勢手段、３２  縁部、３４  第一当接部、４４  第二付勢手段、６０  フィルム（原稿）、６２  フィルムマウント（枠部材）、８０  画像読み取り装置
【図１】
2005003774.tif 000003
【図２】
2005003774.tif 000004
【図３】
2005003774.tif 000005
【図４】
2005003774.tif 000006
【図５】
2005003774.tif 000007